(57)【要約】      （修正有）【課題】足場手摺に作業員が通路として利用可能な開口部を設けた場合であっても、作業員の出入りを妨げずに、足場板上の工具類の落下を防止できる足場手摺構造を提供する。【解決手段】作業足場に後付けで装着され、作業員が通路として利用可能な開口部Ａを備えるフレーム状の足場手摺Ｆにおいて、開口部Ａに開閉自在に設けた扉Ｄを備えたことを特徴とする。【選択図】図２
0003197089.tif 000002
【実用新案登録請求の範囲】
【請求項１】
左右一対の左方手摺支柱（１）および右方手摺支柱（２）と、
前記左方手摺支柱（１）と前記右方手摺支柱（２）の各上部に両端が連結される手摺桟（３）と、
前記手摺桟（３）に垂設される補助手摺支柱（９）と、
前記左方手摺支柱（１）または前記右方手摺支柱（２）のいずれか一方の下部と前記補助手摺支柱（９）の下部との間に設けられる下桟（８）と、
前記左方手摺支柱（１）または前記右方手摺支柱（２）の前記下桟（８）が設けられていないいずれか一方の下部と前記補助手摺支柱（９）の下部との間に設けられる巾木（４）と、
前記補助手摺支柱（９）と前記左方手摺支柱（１）または前記右方手摺支柱（２）との間であって、前記下桟（８）の上方に形成した通路用の開口部（Ａ）と、
前記開口部（Ａ）に開閉自在に設けた扉（Ｄ）とを備えたことを特徴とする足場手摺構造。
【請求項２】
正面視で左右方向に並列して一対となる左方足場支柱（Ｐ１）および右方足場支柱（Ｐ２）を備える作業足場（Ｓ）が、前記左方足場支柱（Ｐ１）と前記右方足場支柱（Ｐ２）との間に着脱自在に装着されるフレーム状の足場手摺（Ｆ）を備え、
前記足場手摺（Ｆ）が、左右で一対となり前記左方足場支柱（Ｐ１）に沿って近隣する左方手摺支柱（１）および前記右方足場支柱（Ｐ２）に沿って近隣する右方手摺支柱（２）と、
前記左方手摺支柱（１）および前記右方手摺支柱（２）の各上部に連結される手摺桟（３）と、
前記左方手摺支柱（１）および前記右方手摺支柱（２）に対して平行であって、上端が前記手摺桟（３）に連結する補助手摺支柱（９）と、
一端が前記左方手摺支柱（１）または前記右方手摺支柱（２）の下部に連結され、他端が前記補助手摺支柱（９）の下部に連結された下桟（８）と、
前記補助手摺支柱（９）と前記左方手摺支柱（１）または前記右方手摺支柱（２）の下桟（８）が連結されていないいずれか一方との間に上下二段に連結された中桟（５）および巾木（４）と、
前記補助手摺支柱（９）と前記左方手摺支柱（１）または前記右方手摺支柱（２）との間であって、前記下桟（８）の上方に形成した通路用の開口部（Ａ）と、
前記開口部（Ａ）に開閉自在に設けた扉（Ｄ）とを備えたことを特徴とする足場手摺構造。
【請求項３】
前記扉（Ｄ）は、前記手摺桟（３）および前記下桟（８）に対して平行に延びる上フレーム（１１）と、
前記上フレーム（１１）の両端から垂設された一対の左右フレーム（１２，１３）と、
前記左右フレーム（１２，１３）の各下端に両端がそれぞれ連結される補助巾木板（１４）とを備え、
前記上フレーム（１１）の一端および前記左右フレーム（１２，１３）の一方を、前記左方手摺支柱（１）または前記右方手摺支柱（２）のうち、前記開口部（Ａ）を形成する手摺支柱と前記補助手摺支柱（９）のいずれか一方に回転自在に結合するヒンジ部（１６，１７）を備えていることを特徴とする請求項１または２に記載の足場手摺構造。
【請求項４】
前記扉（Ｄ）が前記開口部（Ａ）を閉じた際に、前記扉（Ｄ）を閉じた状態で保持するストッパ（１０）を備えることを特徴とする請求項１から３のいずれか一項に記載の足場手摺構造。
【請求項５】
前記ストッパ（１０）が、一対の挟持板（１０１，１０１）と、前記一対の挟持板（１０１，１０１）の上側の中間部分のみをつなぐ連結板（１０２）を備えてなり、前記挟持板（１０１，１０１）の基端側が前記ヒンジ部（１６，１７）と反対側の前記上フレーム（１１）の他端に上下に回動可能に連結されることを特徴とする請求項４に記載の足場手摺構造。
【考案の詳細な説明】
【技術分野】
【０００１】
本考案は、足場手摺構造に関し、特に、長短の単管を縦横に組み合わせて形成する単管足場からなる作業足場に手摺桟および巾木を備える足場手摺を後付けで形成する際の利用に向く足場手摺構造の改良に関する。
【背景技術】
【０００２】
工事現場等で利用される作業足場、特に長短の単管を専用の連結具であるクランプを利用して縦横に組み上げて作業足場を形成する単管足場の場合は、横間隔が一定でないため、落下防止措置である手摺や巾木を設置する際に、手摺や巾木をそれぞれ番線やクランプを利用して作業足場の支柱間に架設しなければならず、作業足場の組み立て作業に非常に手間がかかっていた。
【０００３】
そこで、特許文献１では、縦方向材である左右の手摺支柱と、これらの手摺支柱同士に架け渡されるように各上端に連結される手摺桟と各下端に連結される巾木とで一体に形成されるフレーム状の足場手摺を、作業足場の支柱間に後付けで装着できるようにすることで、手摺や巾木をそれぞれ架設することに比べて架設の手間がかからない足場手摺構造を提案している。
【０００４】
さらに、特許文献１では、上述した左右の手摺支柱の各下端間に巾木が連結されている足場手摺のほか、左右の手摺支柱間に上端が手摺桟に連結される補助手摺支柱を設け、この補助手摺支柱と左右の手摺支柱のいずれか一方との間に巾木が連結され、他方との間には、巾木を省略して作業員が作業足場に出入りすることをスムーズにする通路としての開口部を備える足場手摺の構成も提案している。
【先行技術文献】
【特許文献】
【０００５】
【特許文献１】実用新案登録第３１９４７７７号
【考案の概要】
【考案が解決しようとする課題】
【０００６】
しかしながら、開口部を備える特許文献１の足場手摺は、作業足場への取付けを容易にする上、作業員が作業足場に出入りすることをスムーズにする点で有用であるが、上述のように開口部には、巾木が設けられていないため、開口部から足場板上の工具類が落下する可能性がある。
【０００７】
そこで、本考案の目的は、足場手摺に作業員が通路として利用可能な開口部を設けた場合であっても、作業員の出入りを妨げずに、足場板上の工具類の落下を防止できる足場手摺構造の提供である。
【課題を解決するための手段】
【０００８】
前記課題を解決するための手段は、正面視で左右方向に並列して一対となる左方足場支柱および右方足場支柱を備える作業足場が、前記左方足場支柱と前記右方足場支柱との間に着脱自在に装着されるフレーム状の足場手摺を備え、前記足場手摺が、左右で一対となり前記左方足場支柱に沿って近隣する左方手摺支柱および前記右方足場支柱に沿って近隣する右方手摺支柱と、前記左方手摺支柱および前記右方手摺支柱の各上部に連結される手摺桟と、前記左方手摺支柱および前記右方手摺支柱に対して平行であって、上端が前記手摺桟に連結する補助手摺支柱と、一端が前記左方手摺支柱または前記右方手摺支柱の下部に連結され、他端が前記補助手摺支柱の下部に連結された下桟と、前記補助手摺支柱と前記左方手摺支柱または前記右方手摺支柱の下桟が連結されていないいずれか一方との間に上下二段に連結された中桟および巾木と、前記補助手摺支柱と前記左方手摺支柱または前記右方手摺支柱との間であって、前記下桟の上方に形成した通路用の開口部と、前記開口部に開閉自在に設けた扉とを備えたことを特徴とする。
【０００９】
また、前記扉は、前記手摺桟および前記下桟に対して平行に延びる上フレームと、前記上フレームの両端から垂設された一対の左右フレームと、前記左右フレームの各下端に両端がそれぞれ連結される補助巾木板とを備え、前記上フレームの一端および前記左右フレームの一方を、前記左方手摺支柱または前記右方手摺支柱のうち、前記開口部を形成する手摺支柱と前記補助手摺支柱のいずれか一方に回転自在に結合するヒンジ部を備えてもよい。この構成によると、扉を閉状態にするだけで開口部に中桟と巾木を同時に設けることができる。
【００１０】
また、前記扉が前記開口部を閉じた際に、前記扉を閉じた状態で保持するストッパを備えるようにしてもよい。この構成によると、前記扉が作業中に風などの外的要因によって、勝手に開いてしまうことを防止できる。
【００１１】
また、前記ストッパが、一対の挟持板と、前記一対の挟持板の上側の中間部分のみをつなぐ連結板を備えてなり、前記挟持板の基端側が前記ヒンジ部と反対側の前記上フレームの他端に上下に回動可能に連結されてもよい。この構成によると、ストッパを下方向に回動させるだけで、容易に扉を閉状態に保持でき、反対に上方向に回動させるだけで、扉の閉状態の解除もできる。
【考案の効果】
【００１２】
本考案の足場手摺構造によると、足場手摺に作業員が通路として利用可能な開口部を設けた場合であっても、作業員の出入りを妨げずに足場板上の工具類の落下を防止することができる。
【図面の簡単な説明】
【００１３】
【図１】本実施の形態に係る足場手摺構造を具現化した状態を示す斜視図である。
【図２】本実施の形態に係る足場手摺が、作業足場に装着された状態を示す正面図である。
【図３】本実施の形態に係る足場手摺と作業足場の連結部分であって、連結金具による連結部分を示す拡大平面図である。
【図４】本実施の形態に係る足場手摺と作業足場の連結部分であって、振れ止め金具による連結部分を示す拡大平面図である。
【図５】本実施の形態に係るストッパを示す図面であって、（Ａ）は、ストッパの平面図であり、（Ｂ）は、ストッパの正面図である。
【図６】本実施の形態に係る扉の上フレームと補助手摺支柱の第一ヒンジ部を示す拡大正面図である。
【図７】本実施の形態に係る扉の右フレームと補助手摺支柱の第二ヒンジ部を示す図面であって、（Ａ）は、拡大平面図であり、（Ｂ）は、拡大正面図である。
【図８】本実施の形態に係る長さ調節機構を示す拡大正面図である。
【考案を実施するための形態】
【００１４】
以下に、図示した本実施の形態に基づいて、図面を参照しながら説明する。いくつかの図面を通して付された同じ符号は、同じ部品か対応する部品を示す。
【００１５】
本実施の形態に係る考案を、単管足場に利用されているものを利用して説明するが、本考案の利用は単管足場に限定されるものではなく、枠組足場に利用することも可能である。
【００１６】
図１および図２に示すように、本実施の形態に係る足場手摺構造は、長短の単管を専用の連結具であるクランプＣを利用して縦横に組み上げて形成される作業足場Ｓに、手摺や巾木が一体形成されているフレーム状の足場手摺Ｆが装着されてなる。
【００１７】
具体的には、本実施の形態に係る作業足場Ｓは、作業員が構築物の修繕等の作業をする方向に向かって前後に一対で設けられる縦方向材である長尺の足場支柱Ｐ，ＰにクランプＣを介して繋ぎ部材である短尺の横架材Ｂが連結されて門型足場枠Ｇが形成される、この門型足場枠Ｇを任意の間隔で横方向に並列し、横方向に並列する門型足場枠Ｇ，Ｇ同士を長尺の水平材Ｈを連結して、横方向に組まれる。さらに、図示しないが、作業足場Ｓは、各足場支柱ＰにクランプＣを介して直列に足場支柱を繋ぐことで、上方向にも組まれる。
【００１８】
そして、横方向に並列する横架材Ｂに足場板（図示せず）が架け渡され、この足場板が、同じく図示しないが、たとえば、番線と称される軟鉄線で横架材Ｂに結束されて、作業員が立ち入る場を形成する。
【００１９】
なお、以下の説明においては、作業足場Ｓを形成する足場支柱Ｐについて、説明を容易にするために便宜的に、図１中前列左側の足場支柱Ｐを左方足場支柱Ｐ１と、図１中前列右側の足場支柱Ｐを右方足場支柱Ｐ２としている。よって、これらの左右を逆転したとしても本考案の実施が妨げられることはない。
【００２０】
本実施の形態に係る足場手摺Ｆは、図２に示すように、左右で一対となり左方足場支柱Ｐ１に沿って近隣する左方手摺支柱１および右方足場支柱Ｐ２に沿って近隣する右方手摺支柱２と、左方手摺支柱１および右方手摺支柱２の各上部に連結される手摺桟３と、左方手摺支柱１および右方手摺支柱２に対して平行であって、上端が手摺桟３に連結する補助手摺支柱９と、一端が左方手摺支柱１の下端に連結され、他端が補助手摺支柱９の下端に連結された下桟８と、補助手摺支柱９と右方手摺支柱２との間に上下二段に連結された中桟５および巾木４と、補助手摺支柱９と左方手摺支柱１との間であって、下桟８の上方に形成された通路用の開口部Ａと、開口部Ａに開閉自在に設けられた扉Ｄとを備えてフレーム状に形成されてなる。
【００２１】
本実施の形態に係る足場手摺Ｆを構成する左方手摺支柱１、右方手摺支柱２、手摺桟３、補助手摺支柱９、下桟８、中桟５および扉Ｄは、足場支柱Ｐに比較して細く形成されるパイプ材、特に、角パイプからなっている。これは、フレーム状に形成される足場手摺Ｆにおける総重量を可能な限りに小さくするためと、溶接やボルトナット利用による足場手摺Ｆを構成する部材同士の連結を、丸パイプからなる場合に比較して、容易にすることと、さらには、不使用時の積み上げ保管をする場合に、丸パイプからなる場合に比較して、積み上げ保管を容易になし得るためである。したがって、左方手摺支柱１、右方手摺支柱２、手摺桟３、補助手摺支柱９、下桟８、中桟５および扉Ｄが丸パイプで形成されてもよいことは勿論である。
【００２２】
パイプ材からなる手摺桟３は、図２、図８に示すように、基端部を左方手摺支柱１の上端に連結すると共に先端部が右方手摺支柱２に向けて延びる本体部３１と、基端部を右方手摺支柱２の上端に連結すると共に先端部が左方手摺支柱１に向けて延びる調整部３２とを備えてなる。
【００２３】
そして、本体部３１の外周と比べて調整部３２の内周が大きくなるように設定されているため、本体部３１が調整部３２に出没自在に挿通するようになっており、手摺桟３の軸線方向長さを調整可能になっている。なお、手摺桟３は、図示しないが、調整部３２の外周が本体部３１の内周より小さく形成されて、調整部３２が本体部３１に出没自在に挿通することで、長さ調整を可能にするとしてもよいことは勿論である。
【００２４】
また、手摺桟３においては、調整部３２と本体部３１の先端部との間に、長さ調節機構３３が設けられている。この長さ調節機構３３は、図８に示すように、調整部３２に軸線方向に沿って開孔された長孔３２ａと、調整部３２の内側に位置する本体部３１の先端に設けられ、長孔３２ａに挿通する螺状軸と、螺状軸に螺合されるボルトナット３３ａを備えてなる。
【００２５】
長さ調節機構３３によれば、ボルトナット３３ａが緩められるときには、本体部３１と調整部３２との相対移動が可能になり、手摺桟３の長さを調整し得ることになり、ボルトナット３３ａが締められるときには、手摺桟３の長さを固定することができる。
【００２６】
また、調整部３２が本体部３１に出没自在に移動する際には、螺条軸は、長孔３２ａをストローク長として長孔３２ａに沿って移動するため、長孔３２ａは、調整部３２の移動をガイドする。
【００２７】
次に、巾木４は、上下端部を折り曲げ部４ａ，４ｂにする矩形の板状体からなり、基端部を補助手摺支柱９の下端部にボルトナットの利用で連結すると共に先端部が右方手摺支柱２に向けて延びる本体部４１と、基端部を右方手摺支柱２の下端部にボルトナットの利用で連結すると共に先端部が左方手摺支柱１に向けて延びる調整部４２とを備える。
【００２８】
そして、図２に示すように、この巾木４は、本体部４１のいわゆる高さ寸法に比べ、調整部４２の高さ寸法が低くなっているため、調整部４２が本体部４１に出没自在に挿通するようになっており、巾木４の軸線方向長さを調整可能になっている。
【００２９】
なお、巾木４は、図示しないが、調整部４２が本体部４１より背高に形成されて、調整部４２に本体部４１が出没自在に挿通することで、長さ調整を可能にするとしても良いことは勿論である。
【００３０】
また、巾木４は、右方手摺支柱２と補助手摺支柱９の各下端にボルト連結されて設けられており、足場板（図示せず）上に置かれることがある資材や工具類が作業員に誤って蹴られるなどして作業足場Ｓの外に飛び出すことをあらかじめ防止する。
【００３１】
また、巾木４は、作業員に足場板から資材や工具類が外へ飛び出すことを防止する観点からすれば、所定の背丈を備える限りには、任意の部材で形成されて良いが、作業員に誤って蹴られるようなことがあっても簡単に変形しない部材が選択されるのが好ましい。
【００３２】
また、巾木４は、左方手摺支柱１および右方手摺支柱２にボルト連結されているため、仮に変形、破損等した場合には、取り外して交換することができる。
【００３３】
つづいて、パイプ材からなる中桟５は、図２に示すように、基端部を補助手摺支柱９の手摺桟３および巾木４の間に連結すると共に先端部が右方手摺支柱２の手摺桟３および巾木４の間に向けて延びる本体部５１と、基端部を右方手摺支柱２の手摺桟３および巾木４の間に連結すると共に先端部が補助手摺支柱９の手摺桟３および巾木４の間に向けて延びる調整部５２とを備える。
【００３４】
そして、この中桟５は、本体部５１の内周と比べて調整部５２の外周が小さくなるように設定されているため、調整部５２が本体部５１に出没自在に挿通するようになっており、中桟５の軸線方向長さを調整可能になっている。
【００３５】
なお、中桟５は、図示しないが、調整部５２の内周が本体部５１の外周よりも大きく形成されて、本体部５１が調整部５２に出没自在に挿通することで、長さ調整を可能にするとしても良いことは勿論である。
【００３６】
このように、手摺桟３、巾木４および中桟５の軸線方向長さを調節可能にすることで、足場手摺Ｆの横幅の長さを調節することができる。
【００３７】
また、本実施の形態に係る足場手摺Ｆには、左方手摺支柱１と手摺桟３と補助手摺支柱９と下桟８に囲まれた開口部Ａが設けられている。補助手摺支柱９から左方手摺支柱側には、巾木４および中桟５が設けられていないため、開口部Ａは、作業員の出入りがスムーズな通路として利用される。
【００３８】
また、図１に示すように、補助手摺支柱９の開口部Ａ側には、扉Ｄが、図中破線矢印方向に回動するように取り付けられている。
【００３９】
具体的には、扉Ｄは、図２に示すように、手摺桟３および下桟８に対して平行に延びる上フレーム１１と、上フレーム１１の両端からそれぞれ下桟８側に垂直に延びる一対の左右フレーム１２，１３と、左右フレーム１２，１３の各下端に両端がそれぞれボルトで連結される矩形の補助巾木板１４を備え、上フレーム１１の図中右端および右フレーム１３を補助手摺支柱９にそれぞれヒンジ結合する第一ヒンジ部１６と第二ヒンジ部１７を設けることで、扉Ｄが図中前後に回動可能になっている。
【００４０】
以下、上フレーム１１の図中右端と、補助手摺支柱９をヒンジ結合する第一ヒンジ部１６および右フレーム１３と補助手摺支柱９をヒンジ結合する第二ヒンジ部１７について説明する。
【００４１】
補助手摺支柱９は、補助手摺支柱９の上フレーム１１に対向する高さ位置に位置決めされ、開口部Ａ側に向けて上フレーム１１に対して平行に延びる上下一対の第一プレート１６１，１６２と、右フレーム１３に対向し、開口部Ａ側に向けて上フレーム１１に対して平行に延びる上下一対の第二プレート１７１，１７２を直列に備える。
【００４２】
そして、第一ヒンジ部１６は、上フレーム１１の右端を、図２および図６に示すように、一対の第一プレート１６１，１６２間に挟むように位置決めし、これらをボルト１６３で連結してなる。
【００４３】
また、第二ヒンジ部１７は、図２、図７（Ｂ）に示すように、右フレーム１３に、一対の第二プレート１７１，１７２間に対向する高さ位置から補助手摺支柱９側に延びる駆動部材１７３を設け、駆動部材１７３を、一対の第二プレート１７１，１７２間に挟むように位置決めし、これらをボルト１７４で連結してなる。
【００４４】
したがって、第一ヒンジ部１６および第二ヒンジ部１７が、上記構成を備えることで、扉Ｄは、第一ヒンジ部１６のボルト１６３と第二ヒンジ部１７のボルト１７４を軸に扉Ｄを図中前後に回動可能になる。
【００４５】
また、図７（Ｂ）に示すように、駆動部材１７３と図中上側の第二プレート１７１の間には、ねじりコイルバネ１５が内蔵されている。具体的には、図７（Ａ），（Ｂ）に示すように、ねじりコイルバネ１５のコイル部分は駆動部材１７３と第二プレート１７１，１７２とを連結するボルト１７４の外周に装着され、ねじりコイルバネ１５の一端は補助手摺支柱９に、他端は駆動部材１７３にそれぞれ連結されて、扉Ｄを開方向（図中後方向）に附勢している。そのため、開口部Ａを作業員が通路として利用している間に、扉Ｄが勝手に閉じないようになっている。
【００４６】
また、補助巾木板１４は、上述のように左右フレーム１２，１３の各下端に両端がボルトで連結されて設けられているが、図２に示すように、補助巾木板１４の長手方向の寸法は、左右フレーム１２，１３間の寸法よりも長く設定されており、そのため、扉Ｄが閉じる際に補助巾木板１４の余剰分が左方手摺支柱１に当接し、扉Ｄの図中前方向への移動を規制する。
【００４７】
なお、補助巾木板１４は、上述した巾木４と同様に、足場板から資材や工具類が外へ飛び出すことを防止するものであるため、所定の背丈を備える限りには、任意の部材で形成されて良いが、作業員に誤って蹴られるようなことがあっても簡単に変形しない部材が選択されるのが好ましい。
【００４８】
また、上フレーム１１は、扉Ｄが閉じた際には、左方手摺支柱１と補助手摺支柱９の間である開口部Ａの中桟として機能する。さらに、上フレーム１１は、扉Ｄの開閉の際に持ち手として利用されてもよい。
【００４９】
また、図２に示すように、上フレーム１１の補助手摺支柱９にヒンジ連結されていない側である図中左端には、扉Ｄを閉じる際に扉Ｄが開くことを防止するストッパ１０が設けられている。
【００５０】
本実施の形態に係るストッパ１０は、図５（Ａ）に示すように、一対の矩形の挟持板１０１，１０１と、一対の挟持板１０１，１０１の上側の中間部分のみをつなぐ連結板１０２からなる。連結板１０２を挟んで図中右側の基端部は、図５（Ｂ）に示すように、両側の挟持板１０１，１０１間に上フレーム１１を挟み込むようにし、そこにボルト１０３を貫通させることで、上フレーム１１に連結されている。そのため、ストッパ１０は、ボルト１０３を軸に上下に回動可能となっている。他方、連結板１０２を挟んで図中左側の先端側は、扉Ｄが閉じている状態、つまり上フレーム１１の先端が左方手摺支柱１に対向する位置にあるときに、ストッパ１０を下方向に回動させると、連結板１０２が上フレーム１１に当接し、挟持板１０１，１０１が左方手摺支柱１を挟み込んだ状態で止まるため、扉Ｄの前後の移動を規制し、扉Ｄが開くことを防止する。また、本実施の形態に係る挟持板１０１，１０１は、図５（Ａ）に示すように、それぞれ外側に広がるように曲げ加工が施されており、左方手摺支柱１を挟み込む際に、入口を大きくして左方手摺支柱１を案内するようになっている。
【００５１】
なお、ストッパ１０は、本実施の形態に限定されず、少なくとも扉Ｄの閉状態を保持できるような構造が備えられていればよい。たとえば、図示しないが、左フレーム１２または上フレーム１の左端に回動することで左方手摺支柱１に引っ掛け可能なフックを設け、扉Ｄを閉じた際に、フックを回動させて、左方手摺支柱１に引っ掛けることで扉Ｄの閉状態を保持するようにしてもよい。
【００５２】
また、本実施の形態においては、扉Ｄを補助手摺支柱９にヒンジ連結し、ストッパ１０を上フレーム１１の左端に設けているが、扉Ｄを左方手摺支柱１にヒンジ連結し、ストッパ１０を上フレーム１１の右端に設けるようにしてもよいことは勿論である。
【００５３】
上記足場手摺Ｆによれば、開口部Ａを通路として利用するときは、扉Ａを開けておき、通路として利用しないときは、扉Ｄを閉じることで、巾木や中桟を開口部Ａに備えることができる。
【００５４】
足場手摺Ｆは、図１、図２に示すように、正面視で左右方向に並列して一対となる作業足場Ｓの左方足場支柱Ｐ１と右方足場支柱Ｐ２との間に位置決めされて装着される。
【００５５】
具体的には、図２に示すように、足場手摺Ｆは、上側で左方足場支柱Ｐ１および右方足場支柱Ｐ２を把持する連結金具６と、下側で左方足場支柱Ｐ１および右方足場支柱Ｐ２に嵌合して足場手摺Ｆの振れ止めをする振れ止め金具７を介して、左方手摺支柱Ｐ１と右方手摺支柱Ｐ２の間に装着される。
【００５６】
本実施の形態に係る連結金具６は、図３に示すように、手摺桟３の右端と、左方手摺支柱１の上端にそれぞれ設けられ、平面視で内周がＣ字状に形成される受け止め部６１と、この受け止め部６１の一端に回動自在に連結される弓なりに湾曲した押し部６２と、受け止め部６１の他端に回動自在に連結されるストッパピン６３とを備えてなる。
【００５７】
そして、受け止め部６１が左方足場支柱Ｐ１あるいは右方足場支柱Ｐ２を受け止めるとき、押し部６２が回動して左方足場支柱Ｐ１あるいは右方足場支柱Ｐ２に当接すると共に、この押し部６２にストッパピン６３が連結して、連結金具６は、左方足場支柱Ｐ１あるいは右方足場支柱Ｐ２を把持する。
【００５８】
振れ止め金具７は、図４に示すように、左方手摺支柱１および右方手摺支柱２の各下端部に連結される連結部７２と、連結部７２に連結され、平面視で横向きコ字状に形成されて内側に左方足場支柱Ｐ１あるいは右方足場支柱Ｐ２を嵌めるブラケット７１を備えてなる。
【００５９】
そして、連結金具６が左方足場支柱Ｐ１あるいは右方足場支柱Ｐ２を把持して、足場手摺の上側を連結する際に、これと同時に振れ止め金具７のブラケット７１の内側に左方足場支柱Ｐ１および右方足場支柱Ｐ２を嵌めることで、足場手摺Ｆの下側も作業足場Ｓに連結され、足場手摺Ｆが前後左右に振れることを防止できる。
【００６０】
本考案に係る作業足場構造によると、作業足場Ｓの左方足場支柱１と右方足場支柱２の間にフレーム状の足場手摺Ｆを後付けで装着することで、作業足場Ｓに墜落防止措置である、手摺と中桟と巾木を同時に設置することができる。
【００６１】
また、足場手摺Ｆは、通路として利用可能な開口部Ａを備えているため、作業員が、作業足場Ｓに出入りする際に、巾木や中桟を避けずともスムーズに出入りすることができる。
【００６２】
そして、足場手摺Ｆには、補助手摺支柱９に回動自在に連結されて、開口部Ａを開閉する扉Ｄが備えられているため、作業員の出入りがあるときは、扉Ｄを開けておき、作業員のスムーズな出入りを可能とし、作業員の出入りがないときは、扉Ｄを閉じることで、開口部Ａに巾木と中桟を同時に設けることができる。
【００６３】
また、足場手摺Ｆの上フレーム１１のヒンジ連結されていない側の端部には、扉Ｄを閉じたときに、扉Ｄを閉状態で保持するストッパ１０を備える。そのため、作業員が構築物の修復作業等を行う際に、風などの外的要因で扉Ｄが勝手に開閉してしまうことを防止できる。
【００６４】
また、本実施の形態においては、ストッパ１０は、一対の矩形の挟持板１０１，１０１と、一対の挟持板１０１，１０１の上側の中間部分のみをつなぐ連結板１０２を備えてなり、挟持板１０１，１０１の基端側が上フレームのヒンジ結合されていない側の端部に上下に回動可能に連結されてなる。そのため、扉Ｄを閉じ、上フレーム１１が、左方手摺支柱１に対向する際に、ストッパ１０を下方向に回動すると連結板１０２が、上フレーム１１に当接すると共に、挟持板１０１，１０１間に左方手摺支柱１が保持され、扉Ｄの前後の移動を規制できる。さらに、扉Ｄを開く際には、ストッパ１０を上方向に回動させるだけで、規制が外れ、扉Ｄを開閉自在にできる。
【００６５】
また、組み上がっている作業足場Ｓにおいては、左方足場支柱Ｐ１と右方足場支柱Ｐ２とがなす間隔の寸法は、作業足場Ｓが枠組足場からなるか単管足場からなるかにかかわりなく不変である。したがって、足場手摺Ｆに連結金具６および振れ止め金具７を手摺桟３や巾木４の軸線方向に突出させて設けている場合には、連結金具６および振れ止め金具７を含む足場手摺Ｆの横幅が、左方足場支柱Ｐ１と右方足場支柱Ｐ２との間の寸法よりも大きくなってしまうため、足場手摺Ｆを左方足場支柱Ｐ１と右方足場支柱Ｐ２との間に装着するのが困難になってしまう恐れがある。そこで、本実施の形態においては、手摺桟３、巾木４および中桟５のそれぞれの軸線方向長さが伸縮可能になっているため、左方足場支柱Ｐ１と右方足場支柱Ｐ２との間に装着または取り外しするときには収縮させ、左方足場支柱Ｐ１および右方足場支柱Ｐ２に連結するときには元の長さに戻すことで、足場手摺Ｆの着脱を容易にできる。
【００６６】
以上、本考案の好ましい実施の形態を詳細に説明したが、実用新案登録請求の範囲から逸脱なく改造、変形及び変更ができるのは当然である。
【符号の説明】
【００６７】
１  左方手摺支柱
２  右方手摺支柱
３  手摺桟
４  巾木
５  中桟
８  下桟
９  補助手摺支柱
１０  ストッパ
１１  上フレーム
１２  左フレーム
１３  右フレーム
１４  補助巾木板
１０１  挟持板
１０２  連結板
Ａ  開口部
Ｄ  扉
Ｆ  足場手摺
Ｓ  作業足場
【図１】
0003197089.tif 000003
【図２】
0003197089.tif 000004
【図３】
0003197089.tif 000005
【図４】
0003197089.tif 000006
【図５】
0003197089.tif 000007
【図６】
0003197089.tif 000008
【図７】
0003197089.tif 000009
【図８】
0003197089.tif 000010